(57)【要約】【課題】ＰＴＰシートの収容物を確実に取り出すことができ、高いチャイルドレジスタント効果を有する包装用箱を提供する。【解決手段】ＰＴＰシート１４０を取り付ける外箱１２と、外箱１２の中に摺動可能に収容される内箱１４を備える。外箱１２には、ＰＴＰシート１４０から取り出された収容物１４４が内部空間に落下する押出用透孔４８と、内箱１４が摺動方向に引き出される挿通口１３と、内部空間に落下した収容物１４４が通過して外に出る外箱取出口５８と、内箱１４の摺動を止める封止片７２を備える。内箱１４には、外箱１２の押出用透孔４８に連通した時にＰＴＰシート１４０から取り出された収容物１４４が、内箱１４の内部空間に落下する内箱透孔１０８と、外箱１２の外箱取出口５８に連通した時に内箱１４の内部空間に落下した収容物１４４が通過して外に出る内箱取出口１２２と、外箱１２の封止片７２に一致した時に係止される内箱切断線１１０を有する。【選択図】図１
2020001730.tif 000002
【特許請求の範囲】
【請求項１】
収容物を内側に収容した複数の突出部と前記突出部の周囲に設けられたフランジ部を有するプラスチック成形体に、破断可能な蓋材シートが貼り付けられて前記突出部の開口部が閉鎖されたＰＴＰシートを取り付ける外箱と、前記外箱の中に摺動可能に収容される内箱とを備え、
前記外箱には、前記ＰＴＰシートから取り出された前記収容物が内部空間に落下する押出用透孔と、前記内箱が摺動方向に引き出される挿通口と、内部空間に落下した前記収容物が通過して外に出る外箱取出口と、前記内箱の摺動を止める封止手段が設けられ、
前記内箱には、前記外箱の前記押出用透孔に連通した時に前記ＰＴＰシートから取り出された前記収容物が前記内箱の内部空間に落下する内箱透孔と、前記外箱の前記外箱取出口に連通した時に前記内箱の内部空間に落下した前記収容物が通過して外に出る内箱取出口と、前記外箱の前記封止手段に一致した時に係止される被封止手段が設けられ、
前記内箱の摺動方向の位置により、収容状態と、押出状態と、取出状態が切り替えられ、
前記収容状態では、前記内箱の前記被封止手段が前記外箱の前記封止手段に一致して摺動が係止され、前記内箱の前記内箱透孔は前記外箱の前記押出用透孔に連通せず、前記内箱の前記内箱取出口は前記外箱の前記外箱取出口に連通せず、
前記押出状態では、前記内箱の前記内箱透孔は前記外箱の前記押出用透孔に連通し前記ＰＴＰシートから押し出された前記収容物は前記内箱の内部空間に落下可能となり、前記内箱の前記被封止手段は前記外箱の前記封止手段に一致せず、前記内箱の前記内箱取出口は前記外箱の前記外箱取出口に連通せず、
前記取出状態では、前記内箱の前記内箱取出口は前記外箱の前記外箱取出口に連通して前記内箱の内部空間に落下した前記収容物が通過して外に出すことが可能となり、前記内箱の前記被封止手段は前記外箱の前記封止手段に一致せず、前記内箱の前記内箱透孔は前記外箱の前記押出用透孔に連通しないことを特徴とする包装用箱。
【請求項２】
前記内箱には、前記押出状態にセットする目印と、前記取出状態にセットする取出用印が印刷されていることを特徴とする包装用箱。
【請求項３】
前記外箱に設けられた前記封止手段は、前記外箱の側方に突出する帯状の封止片と、前記封止片の基端部から離れた位置に設けられ前記封止片の先端が差し込まれる外箱切断線が設けられ、前記封止片の長手方向は、前記内箱の摺動方向に交差し、前記外箱切断線は、前記封止片の長手方向に交差し、
前記内箱に設けられた前記被封止手段は、前記収容状態で前記外箱切断線に一致する内箱切断線であり、前記収容状態では、前記封止片の先端が、互いに一致する前記外箱切断線と前記内箱切断線に差し込まれて前記内箱の内部空間に達して、前記内箱の摺動を係止する請求項１記載の包装用箱。
【請求項４】
前記外箱の前記挿通口には、前記外箱の内側に折り返された係止片が設けられ、前記内箱の前記外箱の前記挿通口とは反対側に位置する端部付近には、前記係止片に対向する方向に折り返された被係止片が設けられ、前記内箱が前記挿通口から所定長さに引き出された時、前記係止片と前記被係止片が当接し、それ以上の引き出しを止めて抜け落ちを防ぐ請求項１記載の包装用箱。
【請求項５】
前記外箱は、互いに平行に連接され筒体に組み立てられる側面が設けられ、前記側面の一つは前記ＰＴＰシートの前記プラスチック成形体側の面が取り付けられるもので前記突出部が差し込まれる外箱透孔が形成され、前記外箱透孔が形成された前記側面には、前記ＰＴＰシートの前記蓋材シート側の面に重ねられ前記突出部に対向する前記押出用透孔が形成され前記側面とで前記ＰＴＰシートを挟んで保持する押さえ片が折罫線で区切られて設けられている請求項１記載の包装用箱。
【発明の詳細な説明】
【技術分野】
【０００１】
この発明は、ＰＴＰシートに取り付けられ、ＰＴＰシートから取り出した収容物が内部空間を通過して取出口から出る包装用箱に関する。
【背景技術】
【０００２】
従来、カプセルや錠剤等の薬剤の包装形態としてＰＴＰシートがある。ＰＴＰシートは、合成樹脂で作られたプラスチック成形体を有し、プラスチック成形体には、薬剤を収容する突出部と、突出部の周縁部に形成されたフランジ部が一体に成形されている。フランジ部の、突出部と反対側の面にアルミ箔等の破断可能な蓋材シートが貼り付けられて突出部が閉鎖され、薬剤を密閉している。
【０００３】
また、ＰＴＰシートから薬剤等を取り出す際に、蓋材シートから収容物が飛び出して落としたり、紛失する場合があり、収容物の取り出しを工夫した包装用箱がある。例えば、特許文献１に開示されている包装用箱は、ＰＴＰシートを取り付ける箱体と、箱体の内部空間に設けられたガイド部材を備えている。箱体には、ＰＴＰシートから取り出された収容物が内部空間に落下する透孔と、内部空間に落下した収容物が通過して外に出る取出口が設けられ、ガイド部材は、内部空間に落下した収容物を取出口に導く受け板部が設けられている。この包装用箱によれば、ＰＴＰシートから取り出した収容物は、箱体の内部空間に落下し、箱体の取出口から出るため、収容物を落としたり紛失したりすることが無く、安全である。
【先行技術文献】
【特許文献】
【０００４】
【特許文献１】特開２０１６−１３８４０号公報
【発明の概要】
【発明が解決しようとする課題】
【０００５】
上記背景技術の場合、収容物を簡単に手等で受けて使用することができ、便利なものである。しかし、チャイルドレジスタント機能を付けることは考えられていない。近年、収容物が高価な錠剤や取り扱いに注意する成分が含まれている錠剤の場合に、子供の誤飲や暴露を防ぐために収容物を取り出しにくくするチャイルドレジスタント機能を付けることが求められている。
【０００６】
この発明は、上記背景技術の問題点に鑑みてなされたものであり、ＰＴＰシートの収容物を確実に取り出すことができ、なおかつ高いチャイルドレジスタント効果を有する包装用箱を提供することを目的とする。
【課題を解決するための手段】
【０００７】
本発明は、錠剤等の収容物を内側に収容した複数の突出部と前記突出部の周囲に設けられたフランジ部を有するプラスチック成形体に、破断可能な蓋材シートが貼り付けられて前記突出部の開口部が閉鎖されたＰＴＰシートを取り付ける外箱と、前記外箱の中に摺動可能に収容される内箱とを備え、前記外箱には、前記ＰＴＰシートから取り出された前記収容物が内部空間に落下する押出用透孔と、前記内箱が摺動方向に引き出される挿通口と、内部空間に落下した前記収容物が通過して外に出る外箱取出口と、前記内箱の摺動を止める封止手段が設けられ、前記内箱には、前記外箱の前記押出用透孔に連通した時に前記ＰＴＰシートから取り出された前記収容物が前記内箱の内部空間に落下する内箱透孔と、前記外箱の前記外箱取出口に連通した時に前記内箱の内部空間に落下した前記収容物が通過して外に出る内箱取出口と、前記外箱の前記封止手段に一致した時に係止される被封止手段が設けられている包装用箱である。
【０００８】
この包装用箱は、前記内箱の、摺動方向の位置により、収容状態と、押出状態と、取出状態が切り替えられる。前記収容状態では、前記内箱の前記被封止手段が前記外箱の前記封止手段に一致して摺動が係止される。そして、前記内箱の前記内箱透孔は前記外箱の前記押出用透孔に連通せず、前記内箱の前記内箱取出口は前記外箱の前記外箱取出口に連通しない。前記押出状態では、前記内箱の前記内箱透孔は前記外箱の前記押出用透孔に連通し前記ＰＴＰシートから押し出された前記収容物は前記内箱の内部空間に落下可能となる。そして、前記内箱の前記被封止手段は前記外箱の前記封止手段に一致せず前記内箱が摺動するものであり、前記内箱の前記内箱取出口は前記外箱の前記外箱取出口に連通しない。前記取出状態では、前記内箱の前記内箱取出口は前記外箱の前記外箱取出口に連通して前記内箱の内部空間に落下した前記収容物が通過して外に出すことが可能となる。そして、前記内箱の前記被封止手段は前記外箱の前記封止手段に一致せず前記内箱が摺動するものであり、前記内箱の前記内箱透孔は前記外箱の前記押出用透孔に連通しない。
【０００９】
前記内箱には、前記押出状態にセットする押し出しライン等の目印と、前記取出状態にセットする取り出しライン等の取出用印が印刷されている。
【００１０】
また、前記外箱に設けられた前記封止手段は、前記外箱の側方に突出する帯状の封止片と、前記封止片の基端部から離れた位置に設けられ前記封止片の先端が差し込まれる外箱切断線が設けられ、前記封止片の長手方向は、前記内箱の摺動方向に交差し、前記外箱切断線は、前記封止片の長手方向に交差している。前記内箱に設けられた前記被封止手段は、前記収容状態で前記外箱切断線に一致する内箱切断線である。前記収容状態では、前記封止片の先端が、互いに一致する前記外箱切断線と前記内箱切断線に差し込まれて前記内箱の内部空間に達して、前記内箱の摺動を係止する。なお、前記封止片が前記外箱切断線と前記内箱切断線に差し込まれた時、前記外箱取出口は前記封止片に覆われて封止される。
【００１１】
前記外箱の前記挿通口には、前記外箱の内側に折り返された係止片が設けられ、前記内箱の前記外箱の前記挿通口とは反対側に位置する端部付近には、前記係止片に対向する方向に折り返された被係止片が設けられ、前記内箱が前記挿通口から所定長さに引き出された時、前記係止片と前記被係止片が当接し、それ以上の引き出しを止めて抜け落ちを防ぐ。
【００１２】
前記外箱は、互いに平行に連接され筒体に組み立てられる側面が設けられ、前記側面の一つは前記ＰＴＰシートの前記プラスチック成形体側の面が取り付けられるもので前記突出部が差し込まれる外箱透孔が形成され、前記外箱透孔が形成された前記側面には、前記ＰＴＰシートの前記蓋材シート側の面に重ねられ前記突出部に対向する前記押出用透孔が形成され前記側面とで前記ＰＴＰシートを挟んで保持する押さえ片が折罫線で区切られて設けられている。
【発明の効果】
【００１３】
この発明の包装用箱は、ＰＴＰシートの収容物を確実に取り出すことができ、なおかつ高いチャイルドレジスタント効果を有する。ＰＴＰシートから収容物を取り出す操作は、子供にとっては困難であるが、使用者にはわかり易く、高齢者等であっても取り出し操作が容易である。
【図面の簡単な説明】
【００１４】
【図１】この発明の一実施形態の包装用箱の収容状態の左側面（ａ）と正面図（ｂ）と背面図（ｃ）である。
【図２】この発明の一実施形態の包装用箱の押出状態の左側面（ａ）と正面図（ｂ）と背面図（ｃ）である。
【図３】この発明の一実施形態の包装用箱の取出状態の左側面（ａ）と正面図（ｂ）と背面図（ｃ）である。
【図４】この実施形態の包装用箱の外箱の展開図である。
【図５】この実施形態の包装用箱の内箱の展開図である。
【図６】この実施形態の包装用箱の分解斜視図である。
【発明を実施するための形態】
【００１５】
以下、この発明の実施形態について図面に基づいて説明する。図１〜図６はこの発明の一実施形態を示すもので、この実施形態の包装用箱１０は、後述するＰＴＰシート１４０を取り付ける外箱１２と、外箱１２の中に摺動可能に収容される内箱１４とを備えている。
【００１６】
まず、外箱１２について説明する。外箱１２は、紙製等の一枚のシートを打ち抜いて形成された箱体形成片１６を組み立てて設けられている。図４は、箱体形成片１６を表面から見た展開図であり、箱体形成片１６は、側面１８，２０，２２，２４が、互いに平行に連接して形成されている。側面１８，２０，２２，２４は、連接方向と直交する幅方向の長さは互いに同じ長さであり、それと直交する長さは、側面１８，２２が短くて互いにほぼ等しく、側面２０，２４が長くて互いにほぼ等しい。側面１８の側縁部には、外箱１２の組立状態で側面２４の裏面に糊付けされる糊付片２６が設けられている。糊付片２６、側面１８，２０，２２，２４は、各々折罫線２８，３０，３２，３４で区切られている。
【００１７】
側面２０は、後述するＰＴＰシート１４０のプラスチック成形体１４２側の面に重ねられてＰＴＰシート１４０を保持する。側面２０には、ＰＴＰシート１４０のプラスチック成形体１４２の突出部１４２ａが嵌合される円形の外箱透孔３６が設けられている。外箱透孔３６は、５個並べられた列が２列、互いに平行に形成され、合計１０個の外箱透孔３６が設けられている。１０個の外箱透孔３６は、側面２０の中心よりも、側面同士の連接方向に対して平行な一方の端部２０ａにやや近い位置に設けられている。端部２０ａと反対側の端部２０ｂと、側面１８との境界である折罫線３０とが交差する角部付近には、コの字形の外箱切断線４０が設けられている。外箱切断線４０は、側面２０の厚みを貫通する全切線であり、折罫線３０に対して平行な直線と、この直線の両端から折罫線３０に向かって延出する一対の短い直線で形成されている。折罫線３０には、外箱切断線４０よりも少し端部２０ａに近い位置に、折罫線３０を折り曲げ易くして、確実に折り曲げるための切れ目４２が設けられている。側面２０の表面には、収容物に関する情報等が印刷された印刷部３８が設けられている。例えば、端部２０ｂに近い位置に、使用者の名前や、服用した日付、一回に服用する数等を記入する欄が印刷されている。また、外箱透孔３６の折罫線３０側の列の近傍に、各外箱透孔３６毎に、端部２０ａに近い方から数字の５〜１が印刷されている。
【００１８】
側面２０の端部２０ａには、側面２０の裏面に重ねられＰＴＰシート１４０の蓋材シート１４６側の面を押さえて保持する押さえ片４４が折罫線４６で区切られて設けられている。押さえ片４４の形状は、折罫線４６に対して平行な方向の長さは側面２０とほぼ等しく、折罫線４６に対して直角な方向の長さは側面２０よりも短い矩形である。押さえ片４４には、折罫線４６で側面２０に折り重ねた時に、外箱透孔３６に対向する押出用透孔４８が１０個設けられている。
【００１９】
側面２０の端部２０ｂには、矩形の外蓋片５０が折罫線５２で区切られて設けられている。外蓋片５０の形状は、側面１８，２０，２２，２４が筒体に組み立てられた端部に位置する開口を閉鎖する矩形であり、折罫線５２に対して平行な方向の長さは側面２０とほぼ等しく、折罫線５２に対して直角な方向の長さは、側面１８，２２の、側面２０に連接する方向の長さとほぼ等しい。
【００２０】
側面１８の、側面２０の端部２０ｂに連続する端部には、変形した矩形のフラップ５４が折罫線５６で区切られて設けられている。側面１８の、側面２０の端部２０ａに連続する端部１８ａは、折罫線３０から離れるにつれて折罫線５６に近づくように傾斜している。折罫線２８は、折罫線３０より短くなり、側面１８は、長方形ではなく、変形した四角形である。側面１８の端部１８ａには、何も延設されていない。側面１８の、折罫線５６に近い位置で、切れ目４２に近い位置には、外箱取出口５８が設けられている。外箱取出口５８は側面１８を貫通する透孔であり、折罫線２８に沿う直線部と、この直線部の両端に連続し折罫線３０に向かって膨出する曲線で形成されている。外箱取出口５８は、折罫線２８には達し、折罫線３０には達しておらず、折罫線３０から離れている。
【００２１】
側面２２の、側面２０の端部２０ｂに連続する端部には、変形した矩形のフラップ６０が折罫線６２で区切られて設けられている。側面２２とフラップ６０は、側面１８とフラップ５４の線対称の形状である。側面２２の、側面２０の端部２０ａに連続する端部２２ａは、折罫線３２から離れるにつれて折罫線６２に近づくように傾斜している。折罫線３４は、折罫線３２より短くなり、側面２２は、長方形ではなく、変形した四角形である。側面２２の端部２２ａには、何も延設されていない。
【００２２】
側面２４の、折罫線６２に連続する端部には、外蓋片５０の裏側に重ねられる台形状の内蓋片６４が折罫線６６で区切られて設けられている。側面２４の、折罫線６６と反対側の端部２４ａには、矩形の係止片６８が折罫線７０で区切られて設けられている。係止片６８の形状は、折罫線７０に対して平行な方向の長さは側面２４とほぼ等しく、折罫線７０に対して直角な方向の長さは側面２４よりも短く内蓋片６４よりは長い所定の長さの矩形である。
【００２３】
側面２４の、折罫線３４と反対側の側縁部２４ｂには、折罫線６６に連続する部分に、内箱１４を係止する封止手段である封止片７２が、折罫線７４で区切られて設けられている。封止片７２は、側縁部２４ｂから直角に突出する帯状であり、突出方向の長さの途中には、折罫線７４に対して平行な２本の折罫線７６，７８が所定間隔離れて設けられている。折罫線７４と折罫線７６の間隔は、側面１８，２２の、側面２０に連接する方向の長さよりわずかに長い。折罫線７６と折罫線７８の間隔は、側面２０の、折罫線３０と外箱切断線４０の間隔とほぼ等しい。折罫線７８から先端までの長さは、折罫線７６と折罫線７８の間隔よりも短い任意の長さであり、先端は丸められている。封止片７２の表面の、折罫線７６と折罫線７８の間には、開け口を表示する印刷部３８が設けられている。
【００２４】
次に、内箱１４について説明する。内箱１４は、紙製等の一枚のシートを打ち抜いて形成された箱体形成片８０を組み立てて設けられている。図５は、箱体形成片８０を表面から見た展開図であり、箱体形成片８０は、側面８２，８４，８６，８８が、互いに平行に連接して形成されている。側面８２，８４，８６，８８は、外箱１２の側面１８，２０，２２，２４で組み立てられた筒体の内側に摺動可能な隙間を有して収容されるように、側面１８，２０，２２，２４よりも各々僅かに小さく形成されたものであり、連接方向と直交する幅方向の長さは互いに同じ長さであり、それと直交する長さは、側面８２，８６が短くて互いにほぼ等しく、側面８４，８８が長くて互いにほぼ等しい。側面８２の側縁部には、内箱１４の組立状態で側面８８の裏面に糊付けされる糊付片２６が設けられている。糊付片２６、側面８２，８４，８６，８８は、各々折罫線２８，９０，９２，９４で区切られている。
【００２５】
側面８４は、外箱１２に内箱１４が収容された時に、外箱１２の側面２０の裏側に重ねられるものであり、側面同士の連接方向に対して平行な一方の端部には、外蓋片５０の内側に重ねられる矩形の外蓋片９６が折罫線９８で区切られて設けられている。外蓋片９６の、折罫線９８とは反対側の端部には、台形状の被係止片１００が折罫線１０２で区切られて設けられている。被係止片１００の折罫線１０２に対して直角な方向の長さは、外蓋片９６よりも少し長い所定の長さである。側面８４の、折罫線９８と反対側の端部には、矩形の外蓋片１０４が折罫線１０６で区切られて設けられている。側面８４には、内箱透孔１０８が２個設けられている。内箱透孔１０８は、外箱透孔３６と同じ形状であり、折罫線９８に対して平行な方向に並べられ、並ぶ間隔は、外箱１２の外箱透孔３６が折罫線５２に対して平行な方向に並ぶ間隔とほぼ等しい。折罫線９０と折罫線９８が交差する角部付近には、外箱１２に係止される被封止手段であり外箱１２の外箱切断線４０と同形状のコの字形の内箱切断線１１０が設けられている。内箱切断線１１０は、外箱１２に内箱１４が収容され、側面８４が側面２０の裏側に重ねられ、折罫線９８が側面２０の端部２０ｂ、つまり折罫線５２に一致した時に、外箱切断線４０と一致する位置にある。側面８４の、折罫線１０６に近い位置には、取出用印として、折罫線１０６に対して平行な直線である取り出しライン１１２が印刷されている。取り出しライン１１２の長手方向の中間には、折罫線１０６側に、取り出しライン１１２をわかりやすくする三角形のマークが印刷されている。
【００２６】
側面８２の、側面８４の折罫線９８に連続する端部には、変形した矩形のフラップ１１４が折罫線１１６で区切られて設けられている。側面８２の、折罫線１１６とは反対側の端部には、変形した矩形のフラップ１１８が折罫線１２０で区切られて設けられている。折罫線１１６の近傍には、内箱取出口１２２が設けられている。内箱取出口１２２は側面８２を貫通する透孔であり、折罫線２８と折罫線９０に連続する矩形である。内箱取出口１２２の位置は、外箱１２に内箱１４が収容され、側面８４が側面２０の裏側に重ねられ、取り出しライン１１２が側面２０の端部２０ａに一致した時に、外箱取出口５８に連通する位置である。なお、内箱取出口１２２は、内箱切断線１１０の横にあり、つまり内箱切断線１１０の、折罫線１１６に対して平行な位置付近にある。折罫線１２０の近傍には、取り出しライン１１２が延長して印刷され、折罫線２８に達している。
【００２７】
側面８６の、側面８４の折罫線９８に連続する端部には、変形した矩形のフラップ１１４が折罫線１１６で区切られて設けられている。側面８６の、折罫線１１６とは反対側の端部には、変形した矩形のフラップ１１８が折罫線１２０で区切られて設けられている。折罫線１２０の近傍には、取り出しライン１１２が延長して印刷され、折罫線９４に達している。
【００２８】
側面８８の、折罫線１１６に連続する端部には、外箱１２に内箱１４が収容された時に外蓋片９６の裏側に重ねられる台形状の内蓋片１２４が折罫線１２６で区切られて設けられている。内蓋片１２４の形状は、折罫線１２６に対して平行な方向の長さは、側面８８より短く、内蓋片１２４の、折罫線９４の延長線とは反対側の端部には、ガイド片１２８が折罫線１３０で区切られて設けられている。折罫線１３０は、折罫線１２６に対して直角に位置し、ガイド片１２８は、折罫線１３０を基端として折罫線１２６に対して平行に突出する帯体であり、先端部は、側面８８の折罫線９４とは反対側の側縁部８８ａから外側に所定の長さに突出している。側面８８の、折罫線１２６と反対側の端部には、外蓋片１０４の裏側に重ねられる台形状の内蓋片１３２が折罫線１３４で区切られて設けられている。
【００２９】
側面８８の表面には、折罫線１２６に対して平行な目印の直線である押し出しライン１３６が印刷されている。押し出しライン１３６は、互いに所定間隔を開けて５本設けられ、折罫線１３４に近い方から数字の１〜５が線上に印刷されている。押し出しライン１３６の位置は、外箱１２に内箱１４が収容され、側面８８が側面２４の裏側に重ねられ、内箱透孔１０８が、外箱１２の側面２０の数字１が印刷された外箱透孔３６に連通する時に、数字１が印刷された押し出しライン１３６が側面２４の端部２４ａに一致する位置である。数字２〜５が印刷された各押し出しライン１３６の位置は、同様に、内箱透孔１０８が、外箱１２の側面２０の数字２〜５が印刷された外箱透孔３６に連通する時に、数字２〜５が印刷された各押し出しライン１３６が側面２４の端部２４ａに一致する位置である。
【００３０】
次に、包装用箱１０の包装方法について説明する。包装用箱１０は、収容物である錠剤１４４が入れられたＰＴＰシート１４０を取付けて包装するものである。ここで、ＰＴＰシート１４０について説明する。ＰＴＰシート１４０は、プラスチック成形体１４２が設けられ、プラスチック成形体１４２には、錠剤１４４を収容する突出部１４２ａと、突出部１４２ａの周縁部のフランジ部１４２ｂが設けられている。ここでは、５個の突出部１４２ａが並べられた列が２列、互いに平行に形成され、合計１０個の突出部１４２ａが設けられている。プラスチック成形体１４２のフランジ部１４２ｂには、突出部１４２ａの突出方向と反対の面に薄いアルミ製の蓋材シート１４６が貼り付けられ、突出部１４２ａが閉鎖されている。
【００３１】
次に、包装用箱１０の組立方法について説明する。ここでは、図４が包装用箱１０の外箱１２の箱体形成片１６の表面を見たものであり、図５が包装用箱１０の内箱１４の箱体形成片８０の表面を見たものであり、いずれも表面が凸になる折り方を正折り、そして裏面が凸になる折り方を逆折りと称する。
【００３２】
まず、外箱１２の組立方法について説明する。まず、側面２０の裏側にＰＴＰシート１４０を当てる。この時、ＰＴＰシート１４０のプラスチック成形体１４２側を側面２０に重ねて外箱透孔３６に突出部１４２ａを嵌合させて表側に突出させる。押さえ片４４の裏面の、周縁部付近に糊１４８を塗布し、折罫線４６を正折りしてＰＴＰシート１４０を挟むようにして側面２０の裏面に押さえ片４４を糊付けする。押さえ片４４は側面２０より小さいため、側面２０の裏面に折り返した時に外箱切断線４０を覆うことが無い。次に、折罫線７０を正折りして、係止片６８を側面２４の裏面に折り重ねる。糊付片２６の表面に糊１５０を塗布し、折罫線２８，３０，３２，３４を各々９０°に正折りし、筒体とし、糊付片２６を側面２４の裏面に糊付けする。この時、折り返した係止片６８と側面２４との間に差し込むようにして糊付けする。内蓋片６４の表面に糊１５２を塗布し、フラップ５４，６０を、折罫線５６，６２で９０°に正折りし、内蓋片６４を折罫線６６で９０°に正折りし、その後外蓋片５０を折罫線５２で９０°に正折りし、内蓋片６４の表面に外蓋片５０を糊付けし、筒体の一方の開口が閉鎖され、図６に示すように立体形状となる。外蓋片５０と反対側の開口は、内箱１４収容される挿通口１３となる。
【００３３】
次に、内箱１４の組立方法について説明する。まず、糊付片２６の表面に糊１５４を塗布し、折罫線２８，９０，９２，９４を各々９０°に正折りし、筒体とし、糊付片２６を側面８８の裏面に糊付けする。そして、一対のフラップ１１８を折罫線１２０で各々９０°に正折りし、内蓋片１３２を折罫線１３４で９０°に正折りし、外蓋片１０４の裏面に糊１５６を塗布して折罫線１０６で９０°に正折りし、内蓋片１３２の表面に外蓋片１０４を糊付けし、筒体の一方の開口が閉鎖される。反対側の開口は、まずガイド片１２８を折罫線１３０で適した鈍角で正折りし、内蓋片１２４を折罫線１２６で９０°に正折りする。この時、ガイド片１２８の先端は、側面８２の裏面の、内箱取出口１２２の近傍に当接する。さらに、一対のフラップ１１４を折罫線１１６で各々９０°に正折りし、外蓋片９６を折罫線９８で９０°に正折りし、被係止片１００の裏面に糊１５８を塗布し、被係止片１００を折罫線１０２で９０°に正折りし、側面８８の表面に糊付けする。これにより、図６に示す立体形状となる。
【００３４】
組み立てた外箱１２の挿通口１３に、組み立てた内箱１４を入れる。この時、内箱１４の外蓋片９６側を先頭にして入れ、側面８４が側面２０の裏側に来る方向にする。内箱１４に押されて係止片６８は側面２４に正折りされる。なお、内箱１４の被係止片１００が係止片６８を通過すると、係止片６８は、被係止片１００が糊付けされる側面８８に先端が当接する。このため、内箱１４を挿通口１３から所定長さに引き出すと、係止片６８の先端が、被係止片１００の先端に当接するため、抜け落ちを防止する。
【００３５】
次に、包装用箱１０の使用方法について説明する。図１に示すように内箱１４の外蓋片９６が外箱１２の外蓋片５０の裏側に隙間なく当接し深く重なる位置は、収容状態である。収容状態では、内箱１４の内箱切断線１１０は、外箱１２の外箱切断線４０に一致するので、封止片７２を、折罫線７４，７６でコの字形に折り曲げて外箱１２の側面１８と側面２０に沿って巻き回し、封止片７２の先端を外箱切断線４０に差し込む。封止片７２の先端は、外箱切断線４０と内箱切断線１１０を通過して内箱１４の内側に差し込まれ、内箱１４は摺動不可能となる。この時、外箱１２の外箱取出口５８は、封止片７２で覆われる。内箱１４の内箱透孔１０８は外箱１２のいずれの外箱透孔３６とも一致せず、ＰＴＰシート１４０の突出部１４２ａを押しても錠剤１４４を取り出すことができない。また内箱１４の内箱取出口１２２は外箱１２の外箱取出口５８とも一致しない。ＰＴＰシート１４０から錠剤１４４を取り出すことができないこの収容状態で、運搬や保管を行う。
【００３６】
ＰＴＰシート１４０から錠剤１４４を取り出す時は、まず図２に示す押出状態にする。押出状態は、先ず封止片７２を、外箱切断線４０，１１０から引き抜いて、内箱１４を摺動可能とし、内箱１４を挿通口１３から少し引き出す。内箱１４の側面８８に印刷された押し出しライン１３６の、例えば数字１が印刷された押し出しライン１３６を外箱１２の側面２４の端部２４ａに一致させる。すると内箱１４の内箱透孔１０８は、外箱１２の外箱透孔３６のうち、数字１が印刷された外箱透孔３６に一致し連通する。この状態で、数字１が印刷された外箱透孔３６に嵌合されたＰＴＰシート１４０の突出部１４２ａを押す。錠剤１４４は、ＰＴＰシート１４０の蓋材シート１４６に押し付けられ、蓋材シート１４６が破断し、錠剤１４４がＰＴＰシート１４０から出て内箱１４の内箱透孔１０８を通過し、内箱１４の内側空間に落下する。なお、押出状態では、内箱１４の内箱切断線１１０は外箱１２の外箱切断線４０に一致せず、封止片７２で封止することができない。また、内箱１４の内箱取出口１２２は、外箱１２の外箱取出口５８に一致しない。数字１が印刷された外箱透孔３６以外の外箱透孔３６は、側面８４で閉鎖され、錠剤１４４を押し出すことができない。
【００３７】
落下した錠剤１４４は、図３に示す取出状態にして取り出す。取出状態は、内箱１４の側面８４に印刷された取り出しライン１１２を、外箱１２の側面２０の端部２０ａに一致させる。すると、内箱１４の内箱取出口１２２は外箱１２の外箱取出口５８に一致し連通するので、外箱１２を外箱取出口５８が下を向くように傾け、内箱１４の内側空間にある錠剤１４４を、外箱取出口５８から外側に落下させて、掌等で受け取る。内箱１４の内側空間は、ガイド片１２８が内箱取出口１２２に向かって傾斜して位置しているため、内箱取出口１２２近傍の角部に錠剤１４４がとどまることが無く、ガイド片１２８に沿って内箱取出口１２２から円滑に出すことができる。なお、取出状態では、内箱１４の内箱切断線１１０は外箱１２の外箱切断線４０に一致せず、封止片７２で封止することができない。内箱１４の内箱透孔１０８は外箱１２の外箱透孔３６に一致せず、ＰＴＰシート１４０から錠剤１４４を押し出すことができない。
【００３８】
錠剤１４４を取り出した後は、図１に示す収容状態に再度戻す。２回目に錠剤１４４を取り出す時は、押出状態で数字２が印刷されている押し出しライン１３６を外箱１２の側面２４の端部２４ａに合わせ、数字２が印刷されている外箱透孔３６に位置する錠剤１４４を取り出す。同様の操作で、順次数字３〜数字５の錠剤１４４を取り出して使用する。
【００３９】
この実施形態の包装用箱１０によれば、取り扱いに注意が必要な錠剤１４４や高価な錠剤１４４を安全に保持し、簡単な操作で確実に外箱取出口５８から取り出すことができる。錠剤１４４を保管する時は、収容状態にして、錠剤１４４をＰＴＰシート１４０から押し出すことを防ぎ、不用意に力が加えられても安全である。また、高いチャイルドレジスタント効果を有し、封止片７２を外すことや、内箱１４を摺動させて押出状態と取出状態に切り替えることが、子供にとっては困難であり誤飲を防ぐことができる。錠剤１４４を取り出す時は、外箱１２の外箱取出口５８から出てくるため、予め外箱取出口５８の下に手を置くだけで錠剤１４４が自然に手の中に入り、錠剤１４４を床に落としたり紛失したりすることが無く、使用しやすいものである。従って、高齢等の理由により小さい錠剤１４４を摘まむことが難しい人にも、錠剤１４４を簡単に手等で受けて服用することができる。内箱１４には、押出状態にするための押し出しライン１３６と、取出状態にするための取り出しライン１１２が大きく印刷されているため、使用者にはわかり易く、錠剤１４４の取り出し操作が容易である。押し出しライン１３６に印刷された数字と同じ数字の外箱透孔３６に位置する錠剤１４４は押し出し可能となり、その他の数字の錠剤１４４は押し出すことができず、錠剤１４４の数を多く押し出すことが出来ず服用する錠剤１４４の個数を間違えることを防ぐ。外箱透孔３６と同じ側面２０に、使用者の名前や服用方法を記入する印刷部３８が設けられているため、容易に確認することができる。内箱１４が摺動する挿通口１３は、側面２４側が短く形成され、収容状態でも内箱１４の側面８２，８６，８８の一部が露出するため、引き出しやすい。さらに、封止片７２には、開け口を示す印刷部３８が設けられ、開封しやすい。
【００４０】
なお、この発明の包装用箱は、上記実施の形態に限定されるものではなく、収容する錠剤の数は適宜変更可能であり、ＰＴＰシートの突出部の数に合わせて外箱と内箱の透孔の数を変更して対応することができる。服用する錠剤の数に合わせて、押し出しラインや内箱透孔の数を適宜変更することができる。ＰＴＰシートの素材は、いろいろなものに対応することができる。収容される錠剤は、薬剤に限らず他の商品でも良い。外箱と内箱を作るシートの素材も紙以外でも良い。箱体の各部材の形状は自由に変更可能であり、蓋片や封止片、係止片、ガイド片等の形状も適宜変更可能である。
【符号の説明】
【００４１】
１０  包装用箱
１２  外箱
１３  挿通口
１４  内箱
１８，２０，２２，２４  側面
３６  外箱透孔
３８  印刷部
４０  外箱切断線
４４  押さえ片
４８  押出用透孔
５８  外箱取出口
６８  係止片
７２  封止片
１００  被係止片
１０８  内箱透孔
１１０  内箱切断線
１１２  取り出しライン
１２２  内箱取出口
１３６  押し出しライン
１４０  ＰＴＰシート
１４２  プラスチック成形体
１４２ａ  突出部
１４２ｂ  フランジ部
１４４  錠剤
１４６  蓋材シート
【図１】
2020001730.tif 000003
【図２】
2020001730.tif 000004
【図３】
2020001730.tif 000005
【図４】
2020001730.tif 000006
【図５】
2020001730.tif 000007
【図６】
2020001730.tif 000008